(57)【要約】      （修正有）【課題】スナック菓子を密封包装している包装袋を開封しやすくすると共に、開封された包装袋内に収容されている菓子を食べる時に手や指で菓子に触れる必要をなくし、なおかつ、片手で包装袋を持って、開封された包装袋内に収容されている菓子を食べることができる包装菓子を提供する。【解決手段】菓子を密封包装する合成樹脂製の包装袋１であって、横方向に延びる横辺の長さが６５ｍｍ〜８０ｍｍで、縦方向に延びる縦辺の長さが前記横辺の長さの２．３倍〜３．０倍に相当する長さを有する縦長の直方体状で、上端及び下端の横辺がそれぞれシールされ上端シール部２及び下端シール部４が形成されており、一方の縦辺の上端から下端に向かって当該縦辺の長さの１０／６８〜１０／７５に相当する長さの範囲内に、前記一方の縦辺の側縁から前記包装袋の内側方向に向けて横方向に延びる切り込み部９を形成して菓子用包装袋を構成する。【選択図】図１
0003153697.tif 000002
【実用新案登録請求の範囲】
【請求項１】
菓子を密封包装する合成樹脂製の包装袋であって、
横方向に延びる横辺の長さが６５ｍｍ〜８０ｍｍで、縦方向に延びる縦辺の長さが前記横辺長さの２．３倍〜３．０倍に相当する長さを有する縦長の直方体状で、
上端及び下端の横辺がそれぞれシールされ上端シール部及び下端シール部が形成されており、
一方の縦辺の上端から下端に向かって当該縦辺の長さの１０／６８〜１０／７５に相当する長さの範囲内に、前記一方の縦辺の側縁から前記包装袋の内側方向に向けて横方向に延びる切り込み部が形成されている
ことを特徴とする菓子用包装袋。
【請求項２】
前記一方の縦辺は、上端から下端に向かって当該縦辺の長さの１０／６０〜１０／６５に相当する長さにわたってシールされている縦辺シール部を備えており、
前記切り込み部は当該縦辺シール部に形成されている
ことを特徴とする請求項１記載の菓子用包装袋。
【請求項３】
前記切り込み部の内側方向の終端より内側の位置を始端とし、前記上端シール部の前記一方の縦辺の上端から他方の縦辺の上端に向かって、当該上端シール部の長さの９／３０〜１１／３０に相当する長さの範囲内に湾曲して向かうように案内するガイド線が前記包装袋の表面及び／又は裏面に印刷されている
ことを特徴とする請求項１又は２記載の菓子用包装袋。
【請求項４】
請求項１乃至３のいずれか一項記載の菓子用包装袋の中に菓子が密封包装されている包装菓子。
【考案の詳細な説明】
【技術分野】
【０００１】
本考案は、菓子用包装袋及び包装菓子に関し、特に、切り離し部を切り取って包装袋を開封し、菓子用包装袋内に収容されている菓子に手や指で触ることなく、片手で菓子用包装袋を持って菓子を食べることが可能な菓子用包装袋と、これに密封包装されている包装菓子に関する。
【背景技術】
【０００２】
従来、菓子用包装袋の中に密封包装されているスナック菓子等の菓子は、当該菓子用包装袋を開封した後、指で摘まんで食べる、あるいは菓子用包装袋から他の皿などの上に菓子を取り出して食べるのが一般的であった。
【０００３】
従来の菓子用包装袋の開封方法は様々であるが、開けにくい、お菓子を取り出しづらい等の問題点があった。また、お菓子を食べる際に手や指で菓子に触るため、油分や塩分などが手や指先に付着し、ベタつく等の不快感を感じることがあった。
【０００４】
これらの課題を解決する目的で、予め包装袋に切り込みを設ける等の方法により、包装袋の開封方法を改善する技術や、手や指先でお菓子に触れることなく食べることができる方法や包装袋に関する技術が提案されている（例えば、特許文献１〜５）。
【先行技術文献】
【特許文献】
【０００５】
【特許文献１】実開平６−４２６８８号公報
【特許文献２】実開平６−４９３４８号公報
【特許文献３】実開昭６２−１７４０６６号公報
【特許文献４】実用新案登録第３０１３１１６号公報
【特許文献５】特開２００４−９０９３７号公報
【考案の概要】
【考案が解決しようとする課題】
【０００６】
この考案は、スナック菓子等の菓子を密封包装している包装袋を開封しやすくすると共に、開封された包装袋内に収容されている菓子を食べる時に手や指で菓子に触れる必要をなくし、なおかつ、片手で包装袋を持って、開封された包装袋内に収容されている菓子を食べることができる菓子用包装袋と、これに密封包装されている包装菓子を提案することを目的にしている。
【課題を解決するための手段】
【０００７】
請求項１記載の考案は、
菓子を密封包装する合成樹脂製の包装袋であって、
横方向に延びる横辺の長さが６５ｍｍ〜８０ｍｍで、縦方向に延びる縦辺の長さが前記横辺の長さの２．３倍〜３．０倍に相当する長さを有する縦長の直方体状で、
上端及び下端の横辺がそれぞれシールされ上端シール部及び下端シール部が形成されており、
一方の縦辺の上端から下端に向かって当該縦辺の長さの１０／６８〜１０／７５に相当する長さの範囲内に、前記一方の縦辺の側縁から前記包装袋の内側方向に向けて横方向に延びる切り込み部が形成されている
ことを特徴とする菓子用包装袋である。
【０００８】
請求項２記載の考案は、
前記一方の縦辺は、上端から下端に向かって当該縦辺の長さの１０／６０〜１０／６５に相当する長さにわたってシールされている縦辺シール部を備えており、
前記切り込み部は当該縦辺シール部に形成されている
ことを特徴とする請求項１記載の菓子用包装袋である。
【０００９】
請求項３記載の考案は、
前記切り込み部の内側方向の終端より内側の位置を始端とし、前記上端シール部の前記一方の縦辺の上端から他方の縦辺の上端に向かって、当該上端シール部の長さの９／３０〜１１／３０に相当する長さの範囲内に向かうように湾曲して案内するガイド線が前記包装袋の表面及び／又は裏面に印刷されている
ことを特徴とする請求項１又は２記載の菓子用包装袋である。
【００１０】
請求項４記載の考案は、
請求項１乃至３のいずれか一項記載の菓子用包装袋の中に菓子が密封包装されている包装菓子である。
【考案の効果】
【００１１】
この考案によれば、スナック菓子等の菓子を密封包装している包装袋を開封しやすくすると共に、開封された包装袋内に収容されている菓子を食べる時に手や指で菓子に触れる必要をなくし、なおかつ、片手で包装袋を持って、開封された包装袋内に収容されている菓子を食べることができる菓子用包装袋と、これに密封包装されている包装菓子を提供することができる。
【図面の簡単な説明】
【００１２】
【図１】（ａ）本考案の菓子用包装袋の正面図、（ｂ）図１（ａ）の部分拡大図、（ｃ）背面図、（ｄ）切り離し部を菓子用包装袋から切り取る状態を示す正面図、（ｅ）開封後の正面図。
【図２】本考案の菓子用包装袋を開封後、密封包装されていた菓子を食べる状態の一例を表す説明図。
【考案を実施するための形態】
【００１３】
添付図面を参照しつつ考案を実施するための形態を説明する。
【００１４】
本考案の菓子用包装袋１は、合成樹脂製でスナック菓子等の菓子を密封包装するものである。
【００１５】
菓子用包装袋１は、横方向に延びる横辺の長さＷが６５ｍｍ〜８０ｍｍで、縦方向に延びる縦辺の長さＬが横辺の長さＷの２．３倍〜３．０倍に相当する長さを有する縦長の直方体状になっている。
【００１６】
前記のように縦長の直方体状で、横方向に延びる横辺の長さＷが６５ｍｍ〜８０ｍｍであるので、例えば、縦辺の上端側に開口１２を設けて開放したときには、スナック菓子等の菓子とともに内部に密封されていた不活性ガス等の気体が開放され、また、前記のように開放されたことによって菓子１３が移動しやすくなることから、内部に菓子を収容している状態で菓子用包装袋１を片手で持つことのできる大きさになる。
【００１７】
菓子用包装袋１は、上端及び下端の横辺がそれぞれシールされ、上端シール部３及び下端シール部４が形成されている。こうして上下端がシールされた菓子用包装袋１中に菓子１３が密封包装される。
【００１８】
本考案の菓子用包装袋１においては、一方の縦辺５の上端６から下端７に向かって縦辺５の長さＬの１０／６８〜１０／７５に相当する長さの範囲内に、一方の縦辺５の側縁から菓子用包装袋１の内側方向に向けて横方向に延びる切り込み部９が形成されている。
【００１９】
一方の縦辺５の側縁から菓子用包装袋１の内側方向に向けて横方向に延びる切り込み部９が、このように、縦辺５の上端６から下端７に向かって縦辺の長さＬの１０／６８〜１０／７５に相当する長さの範囲内に形成されていることから、切り込み部９に沿って菓子用包装袋１の上端側に開口１２を設けると、開口１２の大きさは、菓子用包装袋１の上端、下端を逆転させたときに開口１２から菓子用包装袋１の内部に収容されていた菓子１３を落下させるのに十分な大きさになる。
【００２０】
前述したように、本考案の菓子用包装袋１は、縦長の直方体状で、開口したときに片手で持つことのできる大きさになっていることから、菓子用包装袋１を片手１５で持って上端、下端を逆転させることにより、開口１２から菓子１３を口の中に落下させて食べることができる。
【００２１】
すなわち、片方の手１６で携帯電話を持っていたり、リモコン装置を操作したりしていながら、もう一方の手１５で、上記のように開口させた菓子用包装袋１を持ち、上端、下端を逆転させて開口１２から菓子１３を口の中に落下させて食べることができる。片手で食べることのできる利便性と、菓子を食べるときに手や指を菓子に接触させる必要がないという清潔感を与える菓子用包装袋である。
【００２２】
本考案の菓子用包装袋１は、前記の一方の縦辺５が、上端６から下端７に向かって縦辺５の長さＬの１０／６０〜１０／６５に相当する長さＬ１にわたってシールされている縦辺シール部８を備えていて、切り込み部９が縦辺シール部８に形成されているものにすることができる。
【００２３】
前記切り込み部９が縦辺シール部８に形成されていることにより、切り込み部９に沿って菓子用包装袋１の上端側に開口１２を設けるときに、縦辺シール部８を摘まんで切除を行なうことができるので有利である。
【００２４】
また、本考案の菓子用包装袋１は、切り込み部９の内側方向の終端９ａより内側の位置を始端１０ａとし、上端シール部３の一方の縦辺５の上端６から他方の縦辺５ａの上端６ａに向かって、上端シール部３の長さＷの９／３０〜１１／３０に相当する長さの範囲内に向かうように案内するガイド線１０が菓子用包装袋１の表面及び／又は裏面に印刷されている形態にすることができる。
【００２５】
前記切り込み部９に沿って菓子用包装袋１の上端側に開口１２を設けるときに、このガイド線１０に沿って切除することにより、菓子用包装袋１の一方の縦辺５の上端６の側に開口１２を形成することができる。しかも、ガイド線１０が上端シール部３の一方の縦辺５の上端６から他方の縦辺５ａの上端６ａに向かって、上端シール部３の長さＷの９／３０〜１１／３０に相当する長さの範囲内に向かうように案内している。そこで、ガイド線１０に沿って切除することにより形成した開口１２は、菓子用包装袋１の上端、下端を逆転させることにより、開口１２から菓子１３を落下させるのに適した大きさになる。しかも、前記のように、菓子用包装袋１の一方の縦辺５の上端６の側に開口１２が形成されることから、片手１５で菓子用包装袋１を持ち、上端、下端を逆転させて開口１２から菓子１３を口の中に落下させて食べるのに適した位置に形成されている、好ましい大きさの開口となる。
【００２６】
前記において、縦辺シール部８が形成されている長さＬ１、切り込み部９が形成されている位置（一方の縦辺５の上端６から下端７に向かって縦辺５の長さＬの１０／６８〜１０／７５に相当する長さの範囲内）、ガイド線１０が向かう位置（上端シール部３の一方の縦辺５の上端６から他方の縦辺５ａの上端６ａに向かって上端シール部３の長さＷの９／３０〜１１／３０に相当する長さの範囲内）は、切り込み部９に沿って切除を開始し、ガイド線１０に沿って切除を行って開口１２を形成し、切り離し部２を菓子用包装袋１から切り離した際に、片手１５で菓子用包装袋１を持ち、上端、下端を逆転させて開口１２から菓子１３を口の中に落下させて食べるのに好ましい位置に開口１２を形成し、また開口１２を好ましい大きさにすることから定められているものである。
【００２７】
本考案の包装菓子は以上に説明した本考案のいずれかの菓子用包装袋の中に菓子が密封包装されているものである。
【００２８】
前記切り込み部９及び、ガイド線１０に沿って、簡単に、切り離し部２を菓子用包装袋１から切り離し、片手で菓子用包装袋１を持ち、上端、下端を逆転させて開口１２から菓子１３を口の中に落下させて食べるのに適した位置に開口１２が形成され、しかもこのようにして菓子１３を食べるのに好ましい大きさの開口１２が形成される菓子用包装袋１にスナック菓子等の菓子が密封包装されている。
【００２９】
そこで、片方の手で携帯電話を持っていたり、リモコン装置を操作したりしていながら、もう一方の手で菓子用包装袋を持ち、上端、下端を逆転させて開口から菓子を口の中に落下させて食べることができる。
【００３０】
片手で食べることのできる利便性と、菓子を食べるときに手や指を菓子に接触させる必要がない清潔感のあるワンハンドスタイルの包装菓子を提供することができる。
【００３１】
なお、スナック菓子等の菓子は、開口から落下可能な大きさであって、上述した食べ方に適するものであればいかなるものでもよい。
【実施例】
【００３２】
以下、添付図面を参照して本発明の好ましい実施例を説明する。
【００３３】
図１は本考案の菓子用包装袋１の正面図である。菓子用包装袋１は従来公知のように合成樹脂で作製されていて、スナック菓子等の菓子を密封包装するものである。
【００３４】
菓子用包装袋１は、縦長の直方体状で、図示の例では、横方向に延びる横辺の長さＷが７３ｍｍ、縦方向に延びる縦辺の長さＬが１９０ｍｍになっている。
【００３５】
菓子用包装袋１の上端及び下端の横辺はそれぞれシールされ、上端シール部３及び下端シール部４が形成されている。
【００３６】
一方の縦辺５には、上端６から下端７に向かって３０ｍｍの長さＬ１にわたってシールされている縦辺シール部８が形成されている。
【００３７】
また、一方の縦辺５の上端６から下端７に向かって２７ｍｍの位置に、一方の縦辺５の側縁から菓子用包装袋１の内側方向に向けて横方向に延びる切り込み部９が形成されている。
【００３８】
切り込み部９の内側方向の終端９ａより内側の位置を始端１０ａとし、上端シール部３の一方の縦辺５の上端６から他方の縦辺５ａの上端６ａに向かって２５ｍｍの位置（図１（ａ）に符号１１で示す位置）に向かうように案内するガイド線１０が菓子用包装袋１の表面及び裏面に印刷されている。
【００３９】
この菓子用包装袋１内にスナック菓子等の菓子を充填し、脱気等、所定の処理を行い、上端シール部３及び下端シール部４を形成するように上下両端をシールして本考案の包装菓子とする。
【００４０】
本考案の菓子用包装袋１を開口する際には、縦辺シール部８を摘まみ、切り込み部９に沿って切り取りを開始し、ガイド線１０に沿って切り離しを行って、切り離し部２を切除する（図１（ｄ））。
【００４１】
菓子用包装袋１は、縦長の直方体状で、横方向に延びる横辺の長さＷが７３ｍｍであるので、上記のように開口１２を設けて開放したときには、スナック菓子等の菓子とともに内部に密封されていた不活性ガス等の気体が開放され、また、前記のように開放されたことによって菓子が移動しやすくなることから、内部に菓子を収容している状態で菓子用包装袋１を片手で持つことができる。
【００４２】
また、一方の縦辺５の上端６から下端７に向かって２７ｍｍの位置に切り込み部９が形成され、ガイド線１０は、切り込み部９の内側方向の終端９ａより内側の位置を始端１０ａとし、上端シール部３の一方の縦辺５の上端６から他方の縦辺５ａの上端６ａに向かって２５ｍｍの位置（図１（ａ）に符号１１で示す位置）に向かうように案内している。そこで、切り込み部９及び、ガイド線１０に沿って切り離し部２を切除して形成した開口１２は、図２図示のように、片方の手１５で菓子用包装袋１を握り、上端と下端とを逆転させることにより、開口１２から菓子１３を人１４の口に落下させるのに適した大きさで、しかも、開口１２から菓子１３を人１４の口に落下させるのに適した位置に形成される。
【００４３】
この結果、前記のようにして菓子用包装袋１を開封し、図２図示のようにして菓子１３を食べる人１４は、もう一方の手１６で携帯電話や、リモコン装置を操作することなどが可能である。
【００４４】
すなわち、ゲームに興じている人や、パーソナルコンピュータなどを操作してウェブサイトを閲覧している人、散歩をしている人などが、一方の手でゲーム機器の操作などを行いながら、片方の手１５で菓子用包装袋１を持ち、開封した菓子用包装袋１の開口１２から図２図示のようにして、しかも、手や指を菓子１３に接触させること無く、菓子１３を食べることができる。
【００４５】
ゲームに興じている、パーソナルコンピュータなどを操作してウェブサイトを閲覧している、あるいは、散歩などしているときであって、少しお腹がすいたと感じたときなどに、ゲームに興じている手を止めることなく、片方の手で、しかも、手や指を汚すことなしにお菓子を食べることができる、いわば、ワンハンドスタイルの新しい包装菓子を提供するものである。
【００４６】
以上、添付図面を参照して本考案の実施形態、実施例を説明したが本考案はこれらに限られるものではなく、実用新案登録請求の範囲の記載から把握される技術的範囲において種々の形態に変更可能である。
【符号の説明】
【００４７】
１  菓子用包装袋
２  切り離し部
３  上端シール部
４  下端シール部
８  縦辺シール部
９  切り込み部
１０  ガイド線
１２  開口
【図１】
0003153697.tif 000003
【図２】
0003153697.tif 000004